(57)【要約】【課題】電源容量を容易に調整することができる充放電ユニット、及びこれを用いた電源ユニット、充放電システム、電源システムを提供する。【解決手段】充放電ユニット１は、複数の電池接続部３と、充電部４と、放電部５と、制御部６と、電気接続部２０と、筐体２とを備えている。複数の電池接続部３は、バッテリパック３０を個別に装着、及び取外し可能である。充電部４は、外部電源４０１からの供給電力でバッテリパック３０を個別に充電する。放電部５は、バッテリパック３０を放電させる。制御部６は、電池情報を取得する取得部６１を有し、電池情報に基づいて、充電部４、及び放電部５を制御する。電気接続部２０は、自ユニット（充放電ユニット１）と同構成である他の充放電ユニット１と電気的に接続可能とする。筐体２は、複数の電池接続部３、充電部４、放電部５、制御部６、電気接続部２０が設けられる。【選択図】図１
2017112802.tif 000002
【特許請求の範囲】
【請求項１】
バッテリパックを個別に装着、及び取外し可能である複数の電池接続部と、
外部電源からの供給電力で前記バッテリパックを個別に充電する充電部と、
前記バッテリパックを放電させる放電部と、
前記バッテリパックの情報を表す電池情報を取得する取得部を有し、前記取得部が取得した前記電池情報に基づいて、前記充電部、及び前記放電部を制御する制御部と、
自ユニットと同構成である他の充放電ユニットと電気的に接続可能とする電気接続部と、
前記複数の電池接続部、前記充電部、前記放電部、前記制御部、及び電気接続部が設けられた筐体とを備える
ことを特徴とする充放電ユニット。
【請求項２】
前記複数の電池接続部は、前記バッテリパックを並列接続させるように、互いに電気的に接続されている
ことを特徴とする請求項１に記載の充放電ユニット。
【請求項３】
並列接続された前記バッテリパック間での電流供給を阻止する逆流防止部をさらに備える
ことを特徴とする請求項２に記載の充放電ユニット。
【請求項４】
前記制御部は、前記バッテリパックが複数ある場合、いずれか１つのバッテリパックのみを放電させるように前記放電部を制御する
ことを特徴とする請求項２に記載の充放電ユニット。
【請求項５】
前記電池情報は、前記バッテリパックの温度を表す温度情報を含み、
前記制御部は、温度が所定の第１温度閾値以上である前記バッテリパックを前記放電部により放電させないように前記放電部を制御する
ことを特徴とする請求項１〜４のうちいずれか１項に記載の充放電ユニット。
【請求項６】
前記電池情報は、前記バッテリパックの温度を表す温度情報を含み、
前記制御部は、温度が所定の第２温度閾値以上である前記バッテリパックを前記充電部により充電しないように前記充電部を制御する
ことを特徴とする請求項１〜５のうちいずれか１項に記載の充放電ユニット。
【請求項７】
前記電池情報は、前記バッテリパックの残容量を表す残容量情報を含み、
前記制御部は、残容量が所定の第１容量閾値未満の前記バッテリパックがある場合、当該バッテリパックの残容量が前記第１容量閾値に達するまで充電するように前記充電部を制御し、残容量が前記第１容量閾値未満の前記バッテリパックがない場合、残容量が前記第１容量閾値以上の前記バッテリパックを充電するように前記充電部を制御する
ことを特徴とする請求項１〜６のうちいずれか１項に記載の充放電ユニット。
【請求項８】
前記電池情報は、前記バッテリパックの残容量を表す残容量情報を含み、
前記制御部は、前記バッテリパックの残容量が、所定の第２容量閾値未満である場合に前記充電部により前記バッテリパックを定電流充電し、前記第２容量閾値以上である場合に前記充電部により前記バッテリパックを定電圧充電するように、前記充電部を制御する
ことを特徴とする請求項１〜７のうちいずれか１項に記載の充放電ユニット。
【請求項９】
前記電池情報は、前記バッテリパックの残容量を表す残容量情報を含み、
前記制御部は、前記バッテリパックが複数ある場合、残容量が大きいバッテリパックから順に充電するように前記充電部を制御する
ことを特徴とする請求項１〜８のうちいずれか１項に記載の充放電ユニット。
【請求項１０】
前記電池情報は、前記バッテリパックの温度を表す温度情報、及び前記バッテリパックの残容量を表す残容量情報を含み、
前記制御部は、前記温度情報、及び前記残容量情報に基づいて前記バッテリパックが異常であるか否かを判断する判断部をさらに有し、前記判断部が異常と判断したバッテリパックと電気的に接続されたスイッチをオフする
ことを特徴とする請求項１〜９のうちいずれか１項に記載の充放電ユニット。
【請求項１１】
外部との間で前記電池情報の通信が可能な通信装置をさらに備える
ことを特徴とする請求項１〜１０のうちいずれか１項に記載の充放電ユニット。
【請求項１２】
前記筐体は、外形が扁形状に形成され、
前記電気接続部は、前記筐体の厚さ方向の一面側と他面側それぞれから露出するように設けられ、
前記筐体が前記他の充放電ユニットの筐体と重なることにより、前記電気接続部が前記他の充放電ユニットの電気接続部と電気的、及び機械的に接続される
ことを特徴とする請求項１〜１１のうちいずれか１項に記載の充放電ユニット。
【請求項１３】
前記充電部と電気的に接続され、前記外部電源と電気的に接続可能な電源入力部と、
前記放電部と電気的に接続され、負荷と電気的に接続可能な電源出力部と、
前記電気接続部と前記電源入力部及び前記電源出力部との間に電気的に接続されるスイッチ群と、
前記電気接続部に前記他の充放電ユニットが電気的に接続されている場合、前記スイッチ群をオンし、前記電気接続部が未接続状態である場合、前記スイッチ群をオフする検知部とを備える
ことを特徴とする請求項１２記載の充放電ユニット。
【請求項１４】
前記充電部を構成する電子部品の少なくとも一部と熱結合する放熱部材をさらに備え、
前記放熱部材は、前記他の充放電ユニットの放熱部材と熱的に結合可能とする熱結合部を有する
ことを特徴とする請求項１２又は１３に記載の充放電ユニット。
【請求項１５】
操作入力を受付け可能な操作部をさらに備え、
前記制御部は、前記操作部が受け付けた操作入力の内容に基づいて、前記充電部、及び前記放電部を制御し、
前記操作部が受け付けた操作入力の内容は、前記他の充放電ユニットに伝送される
ことを特徴とする請求項１〜１４のうちいずれか１項に記載の充放電ユニット。
【請求項１６】
自ユニットの前記電池情報、及び前記他の充放電ユニットの電池情報を表示する表示部をさらに備える
ことを特徴とする請求項１〜１５のうちいずれか１項に記載の充放電ユニット。
【請求項１７】
前記複数の電池接続部は、定格電圧、定格容量のうち少なくとも一方が互いに異なる前記バッテリパックを装着可能である
ことを特徴とする請求項１〜１６のうちいずれか１項に記載の充放電ユニット。
【請求項１８】
請求項１〜１７のうちいずれか１項に記載の充放電ユニットと、
前記複数の電池接続部のうち少なくとも１つに装着されるバッテリパックとを備える
ことを特徴とする電源ユニット。
【請求項１９】
請求項１〜１７のうちいずれか１項に記載の充放電ユニットと、
前記バッテリパックの放電電力を電力変換する電力変換ユニットとを備える
ことを特徴とする充放電システム。
【請求項２０】
前記充放電ユニットの前記筐体である第１筐体は、外形が扁形状に形成され、厚さ方向の一面側と他面側との少なくとも一方側から露出するように、前記バッテリパックの放電電力を出力する電力出力部が設けられ、
前記電力変換ユニットは、外形が扁形状に形成された第２筐体を有し、
前記第２筐体は、厚さ方向の一面側と他面側との少なくとも一方側から露出するように、前記バッテリパックの放電電力が入力される電力入力部が設けられ、
前記第１筐体と前記第２筐体とが重なることにより、前記電力出力部と前記電力入力部とが電気的に接続される
ことを特徴とする請求項１９に記載の充放電システム。
【請求項２１】
請求項１９又は２０に記載の充放電システムと、
前記複数の電池接続部のうち少なくとも１つに装着されるバッテリパックとを備える
ことを特徴とする電源システム。
【発明の詳細な説明】
【技術分野】
【０００１】
本発明は、充放電ユニット、及びこれを用いた電源ユニット、充放電システム、電源システムに関する。
【背景技術】
【０００２】
従来、電池パック（バッテリパック）の充電、及び放電が可能な電源装置（電源ユニット）がある（例えば特許文献１参照）。この電源装置は、相互に同容量、同定格電圧である複数の電池パックを備えている。電源装置は、複数の電池パックの出力電圧を利用して外部の電気機器への供給電圧を生成する。また、電源装置は、外部の充電器からの電力を受けて電池パックを充電する。
【先行技術文献】
【特許文献】
【０００３】
【特許文献１】特開２０１４−５０２３４号公報
【発明の概要】
【発明が解決しようとする課題】
【０００４】
特許文献１の構成では、電池パックの個数、容量が定められているため、電源容量の調整が困難であった。
【０００５】
本発明は、上記事由に鑑みてなされており、その目的は、電源容量を容易に調整することができる充放電ユニット、及びこれを用いた電源ユニット、充放電システム、電源システムを提供することにある。
【課題を解決するための手段】
【０００６】
本発明の充放電ユニットは、バッテリパックを個別に装着、及び取外し可能である複数の電池接続部と、外部電源からの供給電力で前記バッテリパックを個別に充電する充電部と、前記バッテリパックを放電させる放電部と、前記バッテリパックの情報を表す電池情報を取得する取得部を有し、前記取得部が取得した前記電池情報に基づいて、前記充電部、及び前記放電部を制御する制御部と、自ユニットと同構成である他の充放電ユニットと電気的に接続可能とする電気接続部と、前記複数の電池接続部、前記充電部、前記放電部、前記制御部、及び電気接続部が設けられた筐体とを備える、ことを特徴とする。
【０００７】
本発明の電源ユニットは、上記の充放電ユニットと、前記複数の電池接続部のうち少なくとも１つに装着されるバッテリパックとを備えることを特徴とする。
【０００８】
本発明の充放電システムは、上記の充放電ユニットと、前記バッテリパックの放電電力を電力変換する電力変換ユニットとを備えることを特徴とする。
【０００９】
本発明の電源システムは、上記の充放電システムと、前記複数の電池接続部のうち少なくとも１つに装着されるバッテリパックとを備えることを特徴とする。
【発明の効果】
【００１０】
本発明の充放電ユニット、電源ユニット、充放電システム、電源システムでは、電源容量を容易に調整することが可能になるという効果がある。
【図面の簡単な説明】
【００１１】
【図１】実施形態に係る充放電ユニットの回路構成図である。
【図２】実施形態に係る充放電システムの回路構成図である。
【図３】図３Ａは、実施形態に係る充放電ユニットの平面図である。図３Ｂは、実施形態に係る充放電ユニットの正面図である。図３Ｃは、実施形態に係る充放電ユニットの側面図である。図３Ｄは、実施形態に係る充放電ユニットの下面図である。
【図４】実施形態に係る充放電システムの概略正面図である。
【図５】実施形態に係る充放電ユニットの放電部材の概略構成図である。
【図６】実施形態に係る充放電ユニットの変形例の回路構成図である。
【発明を実施するための形態】
【００１２】
以下、本発明の実施の形態を図面に基づいて説明する。以下の実施形態は、一般に充放電ユニット、及びこれを用いた電源ユニット、充放電システムに関し、より詳細には、バッテリパックの充電、及び放電が可能な充放電ユニット、及びこれを用いた電源ユニット、充放電システムに関する。なお、以下の実施形態において説明する図３Ａ〜図３Ｄ、図４、図５は、模式的な図であり、図中において各構成要素の寸法比が必ずしも実際の寸法比を反映しているとは限らない。
【００１３】
（実施形態）
図１に本実施形態の充放電ユニット１の回路構成図を示す。
【００１４】
まず、本実施形態の充放電ユニット１の概要について説明する。本実施形態の充放電ユニット１は、例えば電動工具等の電源として利用されるバッテリパック３０を装着可能な可搬型のユニットである。充放電ユニット１は、装着されたバッテリパック３０を放電させて負荷５０１に電力を供給することができる。充放電ユニット１は、外部電源４０１（商用電源）からの供給電力により、装着されたバッテリパック３０を充電することができる。また、充放電ユニット１は、他の充放電ユニット１と電気的に接続可能である。充放電ユニット１は、他の充放電ユニット１と電気的に接続することにより、外部電源４０１からの供給電力、及びバッテリパック３０の放電電力を他の充放電ユニット１との間で共有することができる。
【００１５】
以下に、本実施形態の充放電ユニット１の詳細について説明する。
【００１６】
本実施形態の充放電ユニット１は、筐体２、複数の電池接続部３、充電部４、放電部５、逆流防止部５３、制御部６、操作部６３、表示部６４、電気接続部２０、検知部６５、及び通信装置６６を備えている。
【００１７】
筐体２は、箱状に形成されており、複数の電池接続部３、充電部４、放電部５、制御部６等を収納している。また、筐体２は、内部に複数のバッテリパック３０が収納可能である。なお、筐体２の詳細な構成については後述する。
【００１８】
電池接続部３は、バッテリパック３０と１対１に対応し、バッテリパック３０の装着、及び取外しが可能なコネクタである。バッテリパック３０は、例えば電動工具等の電源としても利用可能である。バッテリパック３０は、直並列接続された複数の二次電池（例えばリチウムイオン電池等）を備えており、直列数、並列数により定格電圧、定格容量が決定される。バッテリパック３０の定格電圧として、例えば10.8V、14.4V、18V、21.6V、28.8V等がある。
【００１９】
電池接続部３は、一対の接続端子３１，３２を有している。電池接続部３にバッテリパック３０が装着された場合、接続端子３１がバッテリパック３０のプラス極と電気的に接続され、接続端子３２がバッテリパック３０のマイナス極と電気的に接続される。
【００２０】
充放電ユニット１は、複数（本実施形態では３つ）の電池接続部３が筐体２に設けられており、３つの電池接続部３の全てにバッテリパック３０が装着されている。なお、複数の電池接続部３の全てにバッテリパック３０が装着されている必要はなく、少なくとも１つの電池接続部３にバッテリパック３０が装着されていれば、このバッテリパック３０を放電させて負荷５０１に電力を供給することができる。
【００２１】
また、複数の電池接続部３は、バッテリパック３０を並列接続させるように、互いに電気的に接続されている。具体的には、複数の電池接続部３各々の接続端子３１には、ダイオード５３１とスイッチ５１の直列回路が電気的に接続されている。各接続端子３１は、ダイオード５３１とスイッチ５１の直列回路を介して電気的に接続されている。また、各接続端子３２は、回路グランドと電気的に接続されている。これにより、少なくとも２つ以上の電池接続部３にバッテリパック３０が装着された場合、装着されたバッテリパック３０（バッテリパック３０）は、並列接続されることとなる。なお、複数の電池接続部３それぞれに装着されるバッテリパック３０は、互いに同じ定格電圧、定格容量である必要はなく、互いに異なる定格電圧、定格容量であってもよい。
【００２２】
充電部４は、電源回路４１、複数のスイッチ４２を備えており、外部電源４０１からの供給電力でバッテリパック３０を充電する。
【００２３】
電源回路４１は、例えばスイッチング電源回路であり、電源入力部４３と電気的に接続されている。電源入力部４３は、交流用の電源ケーブル４０２のプラグと接続可能なレセプタクルであり、一対の端子を備えている。商用電源である外部電源４０１と電気的に接続された電源ケーブル４０２が、電源入力部４３に接続されることにより、電源回路４１と外部電源４０１とが電気的に接続される。つまり、外部電源４０１から電源回路４１に電力が供給される。電源回路４１は、外部電源４０１から供給される交流電力を直流電力に変換して出力する。電源回路４１は、動作モードとして、定電流を出力する定電流モードと、定電圧を出力する定電圧モードとを有している。電源回路４１は、制御部６によって制御されており、制御部６の指示により定電流モードと定電圧モードとのいずれかの動作モードで直流電力を出力する。また、電源回路４１の出力端は、スイッチ４２を介して電池接続部３と電気的に接続されている。
【００２４】
スイッチ４２は、電池接続部３（バッテリパック３０）と１対１に対応しており、各接続端子３１と電源回路４１の高電位側の出力端との間に電気的に接続されている。スイッチ４２がオン状態である場合、このスイッチ４２に対応する電池接続部３と電源回路４１とが電気的に接続され、電源回路４１から出力される直流電力によりバッテリパック３０を充電可能な状態となる。一方、スイッチ４２がオフ状態である場合、このスイッチ４２に対応する電池接続部３と電源回路４１とが電気的に切り離される。複数のスイッチ４２は、制御部６により個別に制御される。
【００２５】
放電部５は、複数のスイッチ５１を備えており、各電池接続部３と電源出力部５２との間に電気的に接続されている。電源出力部５２は、直流用の電源ケーブル５０２のプラグと接続可能なレセプタクルであり、一対の端子を備えている。スイッチ５１は、電池接続部３（バッテリパック３０）と１対１に対応しており、一端がダイオード５３１を介して接続端子３１と電気的に接続され、他端が電源出力部５２のプラス端子と電気的に接続されている。電気負荷である負荷５０１と電気的に接続された電源ケーブル５０２が電源出力部５２に接続されることによって、スイッチ５１を介して電池接続部３と負荷５０１とが電気的に接続される。スイッチ５１がオン状態である場合、このスイッチ５１に対応する電池接続部３と負荷５０１とが電気的に接続され、バッテリパック３０から負荷５０１に放電電力を供給可能な状態となる。一方、スイッチ５１がオフ状態である場合、このスイッチ５１に対応する電池接続部３と負荷５０１とが電気的に切り離される。複数のスイッチ５１は、制御部６により制御される。
【００２６】
逆流防止部５３は、複数のダイオード５３１を備えており、並列接続されたバッテリパック３０間での電流供給を阻止する。ダイオード５３１は、電池接続部３（バッテリパック３０）と１対１に対応しており、アノードが接続端子３１と電気的に接続され、カソードがスイッチ５１と電気的に接続されている。なお、ダイオード５３１の接続位置は、接続端子３１とスイッチ５１との間に限らず、例えばアノードがスイッチ５１を介して接続端子３１と電気的に接続されていてもよい。
【００２７】
上述した電池接続部３、スイッチ４２、ダイオード５３１、スイッチ５１それぞれ１つずつで組を成しており、本実施形態の充放電ユニット１は、この組を３組備えている。なお、電池接続部３、スイッチ４２、ダイオード５３１、スイッチ５１の組の数は３つに限らず、２つ又は４つ以上であってもよい。
【００２８】
制御部６は、例えばメモリ、プロセッサを有するマイコン（マイクロコンピュータ）であり、プロセッサがメモリに格納されたプログラムを実行することにより種々の機能を実現する。プログラムは、予めメモリに記憶されていてもよいし、メモリカードなどの記憶媒体に記録されて提供されてもよいし、電気通信回線を通して提供されてもよい。
【００２９】
制御部６は、電池情報を取得する取得部６１と、電池接続部３に装着されているバッテリパック３０の状態が異常であるか否かを判断する判断部６２とを備えている。制御部６は、取得部６１が取得した電池情報、及び判断部６２の判断結果に基づいて、充電部４、及び放電部５を制御する。
【００３０】
取得部６１は、バッテリパック３０の情報を表す電池情報を取得する。電池情報には、温度情報、残容量情報、定格電圧情報、定格容量情報、回数情報等が含まれる。温度情報は、バッテリパック３０の温度を表す。残容量情報は、バッテリパック３０の残容量を表す。定格電圧情報は、バッテリパック３０の定格電圧を表す。定格容量情報は、バッテリパック３０の定格容量を表す。回数情報は、バッテリパック３０の充電回数を表す。これらの情報（電池情報）は、バッテリパック３０が保持しており、取得部６１は、バッテリパック３０から電池情報を取得する。例えば、バッテリパック３０は、定格電圧の値に応じた抵抗値である識別抵抗を備えており、取得部６１は、バッテリパック３０が備える識別抵抗の抵抗値を検出することで、バッテリパック３０の定格電圧情報を取得する。また、バッテリパック３０は、バッテリパック３０の温度を検出するための温度検出素子としてサーミスタを備えている。取得部６１は、バッテリパック３０が備えるサーミスタの抵抗値を検出することで、バッテリパック３０の温度情報を取得する。
【００３１】
判断部６２は、取得部６１が取得した電池情報に基づいて、バッテリパック３０の状態が異常であるか否かを判断する。例えば、判断部６２は、バッテリパック３０の温度が閾値以上である場合、このバッテリパック３０は、高温状態であり異常と判断する。また、判断部６２は、バッテリパック３０の残容量が閾値未満である場合、このバッテリパック３０は過放電状態であり異常と判断する。
【００３２】
制御部６は、取得部６１が取得した電池情報、及び判断部６２の判断結果に基づいて、充電部４、放電部５を制御する。制御部６による充電部４、放電部５の制御内容については後述する。
【００３３】
操作部６３は、例えばプッシュスイッチ、タッチパネル等であり、筐体２の外側面に設けられ、操作入力を受付け可能に構成されている（図３Ｂ参照）。制御部６は、操作部６３が受け付けた操作入力の内容に基づいて、充電部４、放電部５を制御する。例えば、ユーザが操作部６３を操作することにより、バッテリパック３０の放電開始、あるいは放電停止を制御部６に指示することができる。
【００３４】
表示部６４は、例えば液晶パネルであり、筐体２の外側面に設けられ、筐体２の外側から視認可能に構成されている（図３Ｂ参照）。表示部６４は、制御部６によって制御されており、例えば電池情報、エラー内容、動作状態（充電中、放電中）等の各種情報を表示する。
【００３５】
電気接続部２０は、他の充放電ユニット１と電気的に接続するためのコネクタであり、充放電ユニット１間で電気接続部２０同士を電気的に接続可能に構成されている。電気接続部２０は、複数の端子を有しており、スイッチ群６５０を介して電源入力部４３、及び電源出力部５２と電気的に接続されている。具体的には、電気接続部２０が有する４つの端子は、それぞれ、スイッチ群６５０を構成するスイッチを介して、電源入力部４３の一対の端子、電源出力の一対の端子と電気的に接続されている。充放電ユニット１間において、それぞれの電気接続部２０同士が電気的に接続されることで、互いの充放電ユニット１の電源入力部４３同士が電気的に接続され、互いの充放電ユニット１の電源出力部５２同士が電気的に接続される。また、互いの充放電ユニット１のバッテリパック３０同士が並列接続される。
【００３６】
本実施形態では、充放電ユニット１は、２つの電気接続部２０、２つのスイッチ群６５０を備えている。２つの電気接続部２０を区別する場合、電気接続部２０ａ、電気接続部２０ｂという。また、電気接続部２０とスイッチ群６５０とは１対１に対応しており、電気接続部２０ａに対応するスイッチ群６５０をスイッチ群６５０ａ、電気接続部２０ｂに対応するスイッチ群６５０をスイッチ群６５０ｂという。スイッチ群６５０ａは、電気接続部２０ａと、電源入力部４３及び電源出力部５２との間に設けられ、スイッチ群６５０ｂは、電気接続部２０ａと、電源入力部４３及び電源出力部５２との間に設けられている。充放電ユニット１は、２つの電気接続部２０を備えており、２つの電気接続部２０それぞれに他の充放電ユニット１を接続可能である。
【００３７】
検知部６５は、電気接続部２０ａ，２０ｂそれぞれの接続状態を監視しており、電気接続部２０ａ，２０ｂそれぞれの接続状態に基づいて、スイッチ群６５０ａ，６５０ｂそれぞれを構成する複数のスイッチを制御する。検知部６５は、電気接続部２０に、他の充放電ユニット１の電気接続部２０が接続されたことを検知すると、この電気接続部２０に対応するスイッチ群６５０を構成する複数のスイッチ全てをオン状態にする。一方、検知部６５は、電気接続部２０に、他の充放電ユニット１の電気接続部２０が未接続である場合、この電気接続部２０に対応するスイッチ群６５０を構成する複数のスイッチ全てをオフ状態にする。これにより、電気接続部２０が未接続状態である場合、この電気接続部２０は電源入力部４３、電源出力部５２から電気的に絶縁された状態となるので、安全性の向上を図ることが可能となる。
【００３８】
通信装置６６は、第１通信部６６１、第２通信部６６２を備えており、外部との通信を可能とする。
【００３９】
第１通信部６６１は、他の充放電ユニット１との間で通信を行う通信モジュールである。第１通信部６６１は、有線通信、又は無線通信を利用して他の充放電ユニット１の第１通信部６６１と通信可能に構成されている。第１通信部６６１が有線通信を利用する場合、電気接続部２０に、第１通信部６６１と電気的に接続された端子をさらに備えていることが好ましい。これにより、電気接続部２０に、他の充放電ユニット１の電気接続部２０が接続されることにより、第１通信部６６１と、他の充放電ユニット１の第１通信部６６１とを有線で電気的につなぐ信号経路が形成される。
【００４０】
第１通信部６６１は、制御部６により制御されており、例えば取得部６１にて取得した電池情報を、他の充放電ユニット１の第１通信部６６１に送信する。また、第１通信部６６１は、他の充放電ユニット１の第１通信部６６１から、他の充放電ユニット１の電池情報を受信する。これにより、複数の充放電ユニット１間で、電池情報の共有化を図ることができる。制御部６は、他の充放電ユニット１の電池情報も合わせて表示部６４に表示させる。
【００４１】
また、制御部６は、操作部６３が受け付けた操作入力の内容を、第１通信部６６１を用いて他の充放電ユニット１に送信する。制御部６は、他の充放電ユニット１から操作入力の内容を受信した場合、この操作入力の内容に基づいて充電部４、放電部５を制御する。すなわち、操作部６３が受け付けた操作入力の内容が、複数の充放電ユニット１間で共有される。これにより、複数の充放電ユニット１のうち、いずれか１つの充放電ユニット１の操作部６３を操作することによって、他の充放電ユニット１でも同様の制御が行われる。例えば、複数の充放電ユニット１が電気的に接続されている場合、ユーザは、いずれか１つの充放電ユニット１の操作部６３に対して、バッテリパック３０の放電を開始させる操作入力を行う。これにより、全ての充放電ユニット１でバッテリパック３０の放電が開始される。したがって、充放電ユニット１ごとに操作部６３を操作する必要がなくなり、操作の煩雑さが解消され、操作ミスが抑制される。
【００４２】
第２通信部６６２は、充放電ユニット１とは異なる装置との間で通信を行う通信モジュールである。第２通信部６６２は、有線通信、又は無線通信を利用して端末６０１と通信可能に構成されている。本実施形態において、端末６０１は、スマートフォン等の携帯端末であり、第２通信部６６２は、Wi-Fi（登録商標）、Bluetooth（登録商標）等の無線通信を利用して端末６０１と通信する。
【００４３】
第２通信部６６２は、制御部６により制御されており、例えば取得部６１にて取得した電池情報を端末６０１に送信する。ユーザは、端末６０１のアプリケーションを利用して、電池情報を確認することができる。また、端末６０１は、インターネット回線６０２に接続されており、取得した電池情報を例えばクラウドサーバ(cloud server)に保存する。機器６０３は、例えばパーソナルコンピュータであり、インターネット回線６０２を介してクラウドサーバにアクセスすることで、電池情報の確認を行うことができる。なお、第２通信部６６２が送信する情報は電池情報に限らず、例えばエラー内容、動作状態（充電中、放電中）等の各種情報が含まれていてもよい。
【００４４】
また、端末６０１あるいは機器６０３が操作されることにより、端末６０１あるいは機器６０３からバッテリパック３０の放電開始、放電停止等の指示を、第２通信部６６２を介して制御部６に送信するように構成されていてもよい。これにより、充放電ユニット１の操作部６３を操作することなく、充放電ユニット１を遠隔操作することが可能となる。
【００４５】
次に、制御部６による充電部４、放電部５の制御について説明する。まず、バッテリパック３０を放電させる際の制御について説明する。
【００４６】
制御部６は、バッテリパック３０が装着された電池接続部３に対応するスイッチ５１をオンする。なお、制御部６は、バッテリパック３０を放電させる際は、全てのスイッチ４２をオフする。
【００４７】
スイッチ５１がオンすることで、バッテリパック３０と負荷５０１とが電気的に接続される。また、バッテリパック３０が複数である場合、複数のバッテリパック３０は並列接続されるので、並列接続された複数のバッテリパック３０のうち、最も出力電圧が高いバッテリパック３０から負荷５０１に電力が供給される。各電池接続部３には、逆流防止用のダイオード５３１が設けられているので、並列接続されたバッテリパック３０間での電流供給が阻止される。
【００４８】
また、電気接続部２０を介して複数の充放電ユニット１が電気的に接続されている場合、各充放電ユニット１間においてもバッテリパック３０が並列接続される。したがって、複数の充放電ユニット１それぞれが有する複数のバッテリパック３０のうち、最も出力電圧が高いバッテリパック３０から負荷５０１に電力が供給される。
【００４９】
各電池接続部３には、逆流防止用のダイオード５３１が設けられているので、並列接続されたバッテリパック３０間での電流供給が阻止される。
【００５０】
また、制御部６は、バッテリパック３０の温度が所定の第１温度閾値以上である場合、このバッテリパック３０を放電させないように、対応するスイッチ５１をオフする。これにより、温度が第１温度閾値以上のバッテリパック３０は放電されなくなり、バッテリパック３０の劣化を抑制することが可能となる。
【００５１】
次に、バッテリパック３０を充電させる際の制御について説明する。
【００５２】
制御部６は、取得部６１が取得した電池情報に基づいて、バッテリパック３０を１つずつ順に充電するように充電部４を制御する。具体的には、制御部６は、各バッテリパック３０の残容量に基づいて、残容量が大きいバッテリパック３０から順に充電するように充電部４を制御する。制御部６は、充電可能な複数のバッテリパック３０のうち、最も残容量が大きいバッテリパック３０に対応するスイッチ４２のみをオンし、電源回路４１からこのバッテリパック３０に直流電流を供給させて充電させる。なお、制御部６は、バッテリパック３０を充電させる際は、充電中のバッテリパック３０に対応するスイッチ５１、あるいは全てのスイッチ５１をオフする。
【００５３】
また、制御部６は、充電中のバッテリパック３０の残容量に応じて電源回路４１の動作モードを切り替える。制御部６は、充電中のバッテリパック３０の残容量が所定の切替閾値（第２容量閾値）未満である場合、電源回路４１を定電流モードで動作させて蓄電池を定電流充電させる。制御部６は、充電中のバッテリパック３０の残容量が切替閾値以上である場合、電源回路４１を定電圧モードで動作させてバッテリパック３０を定電圧充電させる。定電圧充電時における電源回路４１の出力電圧は、充電対象のバッテリパック３０の定格電圧に応じて制御部６により設定される。
【００５４】
制御部６は、充電可能な複数のバッテリパック３０のうち、最も残容量が大きいバッテリパック３０が満充電となるまで充電する。ここでいう満充電とは、電源回路４１からバッテリパック３０への供給電流の電流値が所定値未満となり、これ以上の充電を不可とする状態である。制御部６は、全てのバッテリパック３０が満充電となるように、充電可能なバッテリパック３０のうち残容量が大きいバッテリパック３０から順に充電させる。
【００５５】
バッテリパック３０を充電させる順番は上記に限らず、操作部６３への操作入力に応じて、バッテリパック３０を充電する順番が切り替わるように構成されていてもよい。例えば、制御部６は、バッテリパック３０の残容量が所定の容量閾値（第１容量閾値）未満のバッテリパック３０から順に充電するように充電部４を制御してもよい。制御部６は、各バッテリパック３０の残容量を容量閾値と比較する。この容量閾値は、一例として定格容量の８０％等である。なお、容量閾値は、定格容量の８０％に限らない。
【００５６】
残容量が容量閾値未満のバッテリパック３０がある場合、制御部６は、このバッテリパック３０に対応するスイッチ４２をオンし、残容量が容量閾値に達するまで充電する。残容量が容量閾値未満のバッテリパック３０が複数ある場合、制御部６は、残容量が大きい方のバッテリパック３０から順に充電するようにスイッチ４２をオンする。一方、残容量が容量閾値未満のバッテリパック３０がない場合、あるいは全てのバッテリパック３０の残容量が容量閾値まで充電された場合、制御部６は、バッテリパック３０が満充電となるまで順に充電するように充電部４を制御する。なお、容量閾値と切替閾値とは、互いに同じ値であってもよいし、互いに異なる値であってもよい。
【００５７】
また、制御部６は、バッテリパック３０の温度が所定の第２温度閾値以上である場合、このバッテリパック３０を充電させないように、対応するスイッチ４２をオフする。これにより、温度が第２温度閾値以上のバッテリパック３０は充電されなくなり、バッテリパック３０の劣化を抑制することが可能となる。例えば、充電中にバッテリパック３０の温度が上昇して第２温度閾値を超えた場合、このバッテリパック３０の充電が中断され、未充電のバッテリパック３０の充電に移行する。そして、充電が中断されたバッテリパック３０は、充電の中断によって温度が第２温度閾値を下回っている場合、充電が再開される。なお、第１温度閾値と第２温度閾値とは、互いに同じ値であってもよいし、互いに異なる値であってもよい。
【００５８】
また、制御部６は、判断部６２が異常と判断したバッテリパック３０がある場合、このバッテリパック３０に対応するスイッチ４２及びスイッチ５１をオフする。これにより、異常と判断されたバッテリパック３０が電気的に孤立されるので、バッテリパック３０の劣化が抑制され、安全性の向上を図ることが可能となる。
【００５９】
また、図２に示すように、本実施形態の充放電ユニット１は、電力変換ユニット７と電気的に接続可能である（図２参照）。電力変換ユニット７は、電力変換回路７０、２つの電気接続部２０Ａ、２つのスイッチ群６５０Ａ、及び検知部６５Ａを備えている。なお、電気接続部２０Ａ、スイッチ群６５０Ａ、検知部６５Ａは、それぞれ、充放電ユニット１の電気接続部２０、スイッチ群６５０、検知部６５と同様の構成であるので説明は省略する。
【００６０】
ここでは、充放電ユニット１の電気接続部２０は、バッテリパック３０の放電電力を出力する電力出力部として機能し、電力変換ユニット７の電気接続部２０Ａは、バッテリパック３０の放電電力が入力される電力入力部として機能する。
【００６１】
電力変換回路７０は、電気接続部２０Ａを介して充放電ユニット１のバッテリパック３０と電気的に接続されており、バッテリパック３０の放電電力を電力変換する。具体的には、電力変換回路７０は、インバータ回路であり、バッテリパック３０から放電された直流電力を交流電力に変換する。電力変換回路７０の出力端は、電源出力部７１と電気的に接続されている。電源出力部７１は、電源ケーブル７０２のプラグと接続可能なレセプタクルである。電気負荷である負荷７０１と電気的に接続された電源ケーブル７０２が、電源出力部７１に接続されることによって、バッテリパック３０の放電電力を交流に変換した電力が負荷７０１に供給される。なお、電力変換回路７０は、インバータ回路に限らず、バッテリパック３０の出力電圧を昇圧、あるいは降圧した直流電圧を出力するコンバータ回路により構成されていてもよい。
【００６２】
充放電ユニット１に電力変換ユニット７を接続することにより、バッテリパック３０の定格電圧に関わらず、負荷に応じた電力を供給することが可能となる。なお、本実施形態では、充放電ユニット１と電力変換ユニット７とが別体に構成されているが、充放電ユニット１の筐体２内に電力変換回路７０が設けられていてもよい。
【００６３】
次に、充放電ユニット１の筐体２について説明する。
【００６４】
図３Ａ〜図３Ｄに示すように、筐体２は、外形が扁形の矩形箱状に形成されており、本体２１とカバー２２とを備えている。なお、筐体２の厚さ方向を上下方向として説明する。
【００６５】
本体２１は、矩形板状に形成されている。カバー２２は、本体２１を上側から覆うように本体２１に固定されている。カバー２２は、本体２１から取外し可能であり、本体２１とカバー２２とで囲まれる内部空間にバッテリパック３０を収納可能である。図３Ａに示す例では、筐体２内に３つのバッテリパック３０が収納されている。また、カバー２２の側面には、表示部６４、操作部６３、電源入力部４３、及び電源出力部５２が設けられている。
【００６６】
図４に示すように、筐体２は、他の充放電ユニット１の筐体２と重ね合わせて結合可能である。筐体２のカバー２２は、下向きに延長された４つの脚部２３、及び上面に形成された４つの凹部２４を備えている。脚部２３、及び凹部２４は、それぞれ、平面視が矩形状であるカバー２２の四隅に形成されている。したがって、複数の筐体２を上下方向に重ね合わせた際に、上側の筐体２の脚部２３が下側の筐体２の凹部２４に嵌まり込み、筐体２同士が位置決めされる（図４参照）。
【００６７】
また、筐体２の厚さ方向の一面側（上面側）と他面側（下面側）それぞれから露出するように電気接続部２０が設けられている。具体的には、本体２１の下面には、矩形筒状の凸部２５が下向きに突出して形成されており、この凸部２５の内側に電気接続部２０ａが設けられている。カバー２２の上面には、矩形状の凹部２６が形成されており、この凹部２６の内側に電気接続部２０ｂが設けられている。凸部２５と凹部２６とは、筐体２の平面視において互いに重なり合う位置に形成されている。また、電気接続部２０ａの端子は、メス型端子であり、電気接続部２０ｂの端子は、オス型端子である。したがって、複数の筐体２を上下方向に重ね合わせた際に、上側の充放電ユニット１の凸部２５が下側の充放電ユニット１の凹部２６に嵌まり込み、電気接続部２０ａと電気接続部２０ｂとが電気的、及び機械的に接続される（図４参照）。なお、図３Ａ〜図３Ｄ、図４に示す例では、電気接続部２０ａ、電気接続部２０ｂが、それぞれ２つずつ設けられている。
【００６８】
また、筐体２は、凹部２６を開閉自在とするシャッター２６１を備えている。シャッター２６１は、電気接続部２０ｂが未接続状態である場合、凹部２６を塞ぐことにより、凹部２６内に異物が入り込むことを防止する。
【００６９】
また、電力変換ユニット７は、充放電ユニット１の筐体２と同様の形状である筐体２Ａを備えている（図４参照）。筐体２Ａは、脚部２３Ａ、凹部２４Ａ、凸部２５Ａ、凹部２６Ａを備えている。なお、脚部２３Ａ、凹部２４Ａ、凸部２５Ａ、凹部２６Ａは、それぞれ、充放電ユニット１における筐体２の脚部２３、凹部２４、凸部２５、凹部２６と同様の構成であるので説明は省略する。図４に示すように、電力変換ユニット７の筐体２Ａは、充放電ユニット１の筐体２と上下方向に重ね合わせて結合可能である。電力変換ユニット７の筐体２Ａと、充放電ユニット１の筐体２とが重ね合わせられることにより、電力変換ユニット７の電気接続部２０Ａと、充放電ユニット１の電気接続部２０とが電気的に接続される。なお、図４に示す例では、電力変換ユニット７は、充放電ユニット１の下側に設けられているが、充放電ユニット１の上側、あるいは２つの充放電ユニット１の間に設けられていてもよい。
【００７０】
また、図５に示すように、本実施形態の充放電ユニット１は、筐体２内の熱を放熱させる放熱部材２８を備えている。放熱部材２８は、放熱フィンであり、充電部４を構成する電子部品の一部と熱結合している。具体的には、充電部４の電源回路４１を構成する複数の電子部品がプリント基板２７に実装されており、この複数の電子部品にはトランジスタ等のパワーデバイス４１１が含まれている。このパワーデバイス４１１は、複数の電子部品のうち相対的に発熱量が大きい電子部品であり、放熱部材２８に取り付けられることにより、放熱部材２８と熱結合している。なお、図５に示す例では、充放電ユニット１は、２つの放熱部材２８を備えており、一方の放熱部材２８がパワーデバイス４１１と熱結合している。
【００７１】
図３Ａ〜図３Ｄに示すように、カバー２２の上面には、矩形状の開口２９が形成されており、放熱部材２８は、この開口２９の下側に配置されている。また、放熱部材２８は、筐体２の本体２１から下向きに突出した熱結合部２８１を備えている。筐体２が重ね合わされた際に、上側の放熱部材２８の熱結合部２８１が、下側の筐体２の開口２９を通って放熱部材２８と接触する（図５参照）。これにより、上側の充放電ユニット１の放熱部材２８と、下側の充放電ユニット１の放熱部材２８とが熱結合される。また、放熱部材２８は、上端部、及び下端部それぞれにフランジ２８２が形成されている。これにより、放熱部材２８同士を接触させた際の接触面積が大きくなり、放熱部材２８間での熱伝導効率を向上させることが可能となる。
【００７２】
また、本実施形態の電源ユニット１０は、上述した充放電ユニット１と、複数の電池接続部３のうち少なくとも１つに装着されるバッテリパック３０とを備えている。
【００７３】
また、本実施形態の充放電システム１００は、上述した充放電ユニット１と、バッテリパック３０の放電電力を電力変換する電力変換ユニット７とを備えている。
【００７４】
また、本実施形態の電源システム１１０は、上述した充放電システム１００と、複数の電池接続部３のうち少なくとも１つに装着されるバッテリパック３０とを備えている。
【００７５】
次に、上記構成を備えることによる本実施形態の充放電ユニット１の効果について説明する。
【００７６】
本実施形態の充放電ユニット１は、複数の電池接続部３と、充電部４と、放電部５と、制御部６と、電気接続部２０と、筐体２とを備えている。複数の電池接続部３は、バッテリパック３０を個別に装着、及び取外し可能である。充電部４は、外部電源４０１からの供給電力でバッテリパック３０を個別に充電する。放電部５は、バッテリパック３０を放電させる。制御部６は、バッテリパック３０の情報を表す電池情報を取得する取得部６１を有し、取得部６１が取得した電池情報に基づいて、充電部４、及び放電部５を制御する。電気接続部２０は、自ユニット（充放電ユニット１）と同構成である他の充放電ユニット１と電気的に接続可能とする。筐体２は、複数の電池接続部３、充電部４、放電部５、制御部６、電気接続部２０が設けられる。
【００７７】
本実施形態の充放電ユニット１は、負荷５０１への供給電力量に応じて、ユーザが電池接続部３に装着するバッテリパック３０の個数を調整することができる。また、充放電ユニット１は、他の充放電ユニット１と電気的に接続可能とする電気接続部２０を備えている。したがって、１つの充放電ユニット１に装着可能な数のバッテリパック３０では電源容量が不足する場合、他の充放電ユニット１を電気的に接続することで、電源容量を確保することが可能となる。すなわち、本実施形態の充放電ユニット１は、ユーザが負荷５０１への供給電力量に応じて、容易に電源容量を調整することが可能になるという効果が得られる。
【００７８】
また、本実施形態の電源ユニット１０、充放電システム１００、電源システム１１０は、充放電ユニット１を備えており、上述した充放電ユニット１と同様の効果が得られる。
【００７９】
また、バッテリパック３０は、単体で電動工具等の電源としても利用可能であり、充放電ユニット１をバッテリパック３０の充電器としても機能させることができ、利便性が向上する。
【００８０】
また、本実施形態の充放電ユニット１において、複数の電池接続部３は、バッテリパック３０を並列接続させるように、互いに電気的に接続されている。これにより、バッテリパック３０が複数ある場合、複数のバッテリパック３０のうち最も出力電圧が高いバッテリパック３０のみが放電する。したがって、複数のバッテリパック３０間で残容量が異なる場合であっても、特定のバッテリパック３０にストレスがかかることなく、バッテリパック３０の劣化を抑制することが可能となる。
【００８１】
また、本実施形態の充放電ユニット１において、並列接続されたバッテリパック３０間での電流供給を阻止する逆流防止部５３を備えている。これにより、並列接続されたバッテリパック３０間での電流供給によるバッテリパック３０の残容量の低下、及びバッテリパック３０の劣化を抑制することが可能となる。
【００８２】
また、本実施形態の充放電ユニット１において、複数の電池接続部３は、定格電圧、定格容量のうち少なくとも一方が互いに異なるバッテリパック３０を装着可能である。これにより、複数のバッテリパック３０を充放電ユニット１に装着する際に、バッテリパック３０の定格電圧、定格容量を統一させる必要がなく、利便性が向上する。
【００８３】
また、本実施形態の充放電ユニット１において、電池情報は、バッテリパック３０の残容量を表す残容量情報を含む。制御部６は、バッテリパック３０が複数ある場合、残容量が大きいバッテリパック３０から順に充電するように充電部４を制御する。これにより、満充電状態となるバッテリパック３０をより早く確保することが可能となる。
【００８４】
また、本実施形態の充放電ユニット１において、電池情報は、バッテリパック３０の残容量を表す残容量情報を含む。制御部６は、バッテリパック３０の残容量が、所定の切替閾値（第２容量閾値）未満である場合に充電部４によりバッテリパック３０を定電流充電するように充電部４を制御する。制御部６は、バッテリパック３０の残容量が、切替閾値（第２容量閾値）以上である場合に充電部４によりバッテリパック３０を定電圧充電するように充電部４を制御する。定電流充電時の電流値を大きく設定することにより、充電時間の短縮を図ることが可能となる。また、バッテリパック３０が満充電状態に近付くと、定電圧充電に切り替わるので、バッテリパック３０の劣化が抑制される。
【００８５】
また、本実施形態の充放電ユニット１において、電池情報は、バッテリパック３０の残容量を表す残容量情報を含む。制御部６は、残容量が所定の容量閾値（第１容量閾値）未満のバッテリパック３０がある場合、このバッテリパック３０の残容量が容量閾値（第１容量閾値）に達するまで充電するように充電部４を制御する。制御部６は、残容量が容量閾値（第１容量閾値）未満のバッテリパック３０がない場合、残容量が第１容量閾値以上のバッテリパック３０を充電するように充電部４を制御する。これにより、１つのバッテリパック３０において連続した充電時間が短くなるので、充電中のバッテリパック３０の温度上昇が抑制され、バッテリパック３０の劣化を抑制することが可能となる。
【００８６】
また、容量閾値（第１容量閾値）と切替閾値（第２容量閾値）とを同じ値にした場合、残容量が容量閾値（切替閾値）となるまで各バッテリパック３０が順に定電流充電される。したがって、各バッテリパック３０が、より短い時間で容量閾値（切替閾値）以上の残容量を確保することができる。
【００８７】
また、本実施形態の充放電ユニット１において、電池情報は、バッテリパック３０の温度を表す温度情報を含む。制御部６は、温度が所定の第１温度閾値以上であるバッテリパック３０を放電部５により放電させないように放電部５を制御する。これにより、温度が第１温度閾値以上のバッテリパック３０は放電されないので、温度上昇によるバッテリパック３０の劣化を抑制することが可能となる。
【００８８】
また、本実施形態の充放電ユニット１において、電池情報は、バッテリパック３０の温度を表す温度情報を含む。制御部６は、温度が所定の第２温度閾値以上であるバッテリパック３０を充電部４により充電しないように充電部４を制御する。これにより、温度が第２温度閾値以上のバッテリパック３０は充電されないので、温度上昇によるバッテリパック３０の劣化を抑制することが可能となる。
【００８９】
また、本実施形態の充放電ユニット１において、電池情報は、バッテリパック３０の温度を表す温度情報、及びバッテリパック３０の残容量を表す残容量情報を含む。制御部６は、温度情報、及び残容量情報に基づいてバッテリパック３０が異常であるか否かを判断する判断部６２を有する。制御部６は、判断部６２が異常と判断したバッテリパック３０と電気的に接続されたスイッチ４２，５１をオフする。これにより、判断部６２が異常と判断したバッテリパック３０が電気的に孤立されるので、このバッテリパック３０の劣化が抑制され、安全性の向上を図ることが可能となる。
【００９０】
また、本実施形態の充放電ユニット１において、外部との間で電池情報の通信が可能な通信装置６６を備えている。これにより、充放電ユニット１に他の充放電ユニット１を電気的に接続した場合、充放電ユニット１間で電池情報を共有することが可能となる。また、通信装置６６と通信可能な端末６０１を利用して電池情報を確認することができ、利便性が向上する。
【００９１】
また、本実施形態の充放電ユニット１において、操作入力を受付け可能な操作部６３を備えている。制御部６は、操作部６３が受け付けた操作入力の内容に基づいて、充電部４、及び放電部５を制御する。操作部６３が受け付けた操作入力の内容は、他の充放電ユニット１に伝送される。これにより、操作部６３が受け付けた操作入力の内容が、複数の充放電ユニット１間で共有される。したがって、複数の充放電ユニット１のうち、いずれか１つの充放電ユニット１の操作部６３を操作することによって、他の充放電ユニット１でも同様の制御が行われ、利便性の向上を図ることが可能である。
【００９２】
また、本実施形態の充放電ユニット１において、自ユニット（充放電ユニット１）の電池情報、及び他の充放電ユニット１の電池情報を表示する表示部６４を備えている。これにより、表示部６４に、複数の充放電ユニット１それぞれの電池情報を一括して表示可能であるので、利便性の向上を図ることが可能である。
【００９３】
また、本実施形態の充放電ユニット１において、筐体２は、外形が扁形状に形成されている。電気接続部２０は、筐体２の厚さ方向の一面側（上面側）と他面側（下面側）それぞれから露出するように設けられている。筐体２が他の充放電ユニット１の筐体２と重なることにより、電気接続部２０が他の充放電ユニット１の電気接続部２０と電気的、及び機械的に接続される。これにより、筐体２同士を重ね合わせることで、複数の充放電ユニット１を電気的に接続することができる。したがって、複数の充放電ユニット１の電気的な接続が容易となるので、接続ミスの抑制が可能となり、また接続ケーブル等も不要となる。
【００９４】
また、本実施形態の充放電ユニット１において、電源入力部４３と、電源出力部５２と、スイッチ群６５０と、検知部６５とを備えている。電源入力部４３は、充電部４と電気的に接続され、外部電源４０１と電気的に接続可能である。電源出力部５２は、放電部５と電気的に接続され、負荷５０１と電気的に接続可能である。スイッチ群６５０は、電気接続部２０と電源入力部４３及び電源出力部５２との間に電気的に接続される。検知部６５は、電気接続部２０に他の充放電ユニット１が電気的に接続されている場合、スイッチ群６５０をオンし、前記電気接続部２０が未接続状態である場合、スイッチ群６５０をオフする。これにより、電気接続部２０が未接続状態である場合、この電気接続部２０は電源入力部４３、電源出力部５２から電気的に絶縁された状態となるので、安全性の向上を図ることが可能となる。
【００９５】
また、本実施形態の充放電ユニット１において、充電部４を構成する電子部品の少なくとも一部（パワーデバイス４１１）と熱結合する放熱部材２８を備えている。放熱部材２８は、他の充放電ユニット１の放熱部材２８と熱的に結合可能とする熱結合部２８１を有する。これにより、複数の充放電ユニット１間で、各充放電ユニット１の放熱部材２８が熱結合されるので、熱容量が大きくなり放熱効率の向上を図ることが可能となる。
【００９６】
また、本実施形態の充放電システム１００において、充放電ユニット１の筐体２（第１筐体）は、外形が扁形状に形成されている。筐体２は、厚さ方向の一面側（上面側）と他面側（下面側）との少なくとも一方側から露出するように、バッテリパック３０の放電電力を出力する電気接続部２０（電力出力部）が設けられている。電力変換ユニット７は、外形が扁形状に形成された筐体２Ａ（第２筐体）を有する。筐体２Ａは、厚さ方向の一面側（上面側）と他面側（下面側）との少なくとも一方側から露出するように、バッテリパック３０の放電電力が入力される電気接続部２０Ａ（電力入力部）が設けられている。筐体２（第１筐体）と筐体２Ａ（第２筐体）とが重なることにより、電気接続部２０（電力出力部）と電気接続部２０Ａ（電力入力部）とが電気的に接続される。これにより、筐体２と筐体２Ａとを重ね合わせることで、充放電ユニット１と電力変換ユニット７とを電気的に接続することができる。したがって、充放電ユニット１と電力変換ユニット７との電気的な接続が容易となるので、接続ミスの抑制が可能となり、また接続ケーブル等も不要となる。
【００９７】
次に、充放電ユニット１の変形例について説明する。
【００９８】
本変形例の充放電ユニット１Ａの回路構成図を図６に示す。なお、図１に示した充放電ユニット１と同様の構成については、同一の符号を付して説明を省略する。
【００９９】
本変形例の充放電ユニット１Ａにおいて、制御部６は、バッテリパック３０が複数ある場合、いずれか１つのバッテリパック３０のみを放電させるように放電部５を制御する。具体的には、制御部６は、複数のバッテリパック３０のうち、いずれか１つのバッテリパック３０に対応するスイッチ５１のみをオンし、他のスイッチ５１をオフにする。例えば、制御部６は、電池情報に基づいて、残容量が最も大きいバッテリパック３０に対応するスイッチ５１のみをオンする。なお、複数の充放電ユニット１Ａが電気的に接続されている場合、制御部６は、複数の充放電ユニット１Ａそれぞれが有する複数のバッテリパック３０のうち、最も残容量が大きいバッテリパック３０に対応するスイッチ５１のみをオンする。
【０１００】
これにより、１つのバッテリパック３０のみが放電し、負荷５０１に電力を供給する。複数のスイッチ５１のうち、１つのスイッチ５１のみがオン状態となり、他のスイッチ５１がオフ状態となるので、複数のバッテリパック３０間での電流供給が行われず、逆流防止部５３の省略が可能となる。したがって、充放電ユニット１Ａの構成の簡略化を図ることが可能となる。
【０１０１】
なお、放電させるバッテリパック３０は、ユーザが操作部６３を操作することにより選択可能に構成されていてもよい。これにより、複数のバッテリパック３０において定格電圧が互いに異なる場合、負荷５０１に応じた定格電圧のバッテリパック３０を放電させることができる。
【０１０２】
なお、上述した実施形態は本発明の一例である。このため、本発明は、上述の実施形態に限定されることはなく、この実施形態以外であっても、本発明に係る技術的思想を逸脱しない範囲であれば、設計等に応じて種々の変更が可能であることはもちろんのことである。
【符号の説明】
【０１０３】
１，１Ａ  充放電ユニット
１０  電源ユニット
１００  充放電システム
１１０  電源システム
２  筐体（第１筐体）
２Ａ  筐体（第２筐体）
２０（２０ａ，２０ｂ）  電気接続部（電力出力部）
２０Ａ  電気接続部（電力入力部）
２８  放熱部材
２８１  熱結合部
３  電池接続部
３０  バッテリパック
４  充電部
４１１  パワーデバイス（充電部を構成する電子部品の一部）
４２  スイッチ
４３  電源入力部
４０１  外部電源
５  放電部
５１  スイッチ
５２  電源出力部
５３  逆流防止部
５０１  負荷
６  制御部
６１  取得部
６２  判断部
６３  操作部
６４  表示部
６５  検知部
６５０（６５０ａ，６５０ｂ）  スイッチ群
６６  通信装置
７  電力変換ユニット
【図１】
2017112802.tif 000003
【図２】
2017112802.tif 000004
【図３】
2017112802.tif 000005
【図４】
2017112802.tif 000006
【図５】
2017112802.tif 000007
【図６】
2017112802.tif 000008